(57)【要約】【課題】  斜め線の線画を忠実に印字できると共に、より一層の印字画像の縦横比改善を達成することができる画像形成装置を提供する。【解決手段】  ２値の画像データに応じて発光制御される複数個の発光素子が一方向に列設された複数の発光素子アレイを備えた発光素子アレイユニットと、画像データを前記発光素子アレイユニットに転送する画像データ転送制御手段とを有し、前記複数の発光素子アレイが、前記感光体の軸線方向を主走査方向とした場合、副走査方向に所定量ずれると共に主走査方向で所定量重なるように千鳥状に配列され、前記画像データ転送制御手段が、１ライン分の画像データを前記発光素子アレイ毎に分割し、その分割された画像データを各発光素子アレイに転送して画像データの書き込みを行う画像書込装置において、前記画像データ転送制御手段が、主走査１ライン間に１ライン分の画像データを前記各発光素子アレイに転送するにあたり、偶数画素データを転送後に奇数画素データを転送する動作を複数回繰り返すように画像データ転送制御する構成となっている。【選択図】      図４
2006062105.tif 000002
【特許請求の範囲】
【請求項１】
２値の画像データに応じて発光制御される複数個の発光素子が一方向に列設された複数の発光素子アレイと、当該発光素子アレイの発光を感光体に結像させる結像部とからなる発光素子アレイユニットと、画像データを前記発光素子アレイユニットに転送する画像データ転送制御手段とを有し、前記複数の発光素子アレイが、前記感光体の軸線方向を主走査方向とした場合、副走査方向に所定量ずれると共に主走査方向で所定量重なるように千鳥状に配列され、前記画像データ転送制御手段が、１ライン分の画像データを前記発光素子アレイ毎に分割し、その分割された画像データを各発光素子アレイに転送して、当該発光素子アレイの各発光素子を主走査方向に駆動させて画像データの書き込みを行う画像書込装置であって、
前記画像データ転送制御手段が、主走査１ライン間に１ライン分の画像データを前記各発光素子アレイに転送するに際に、偶数画素データを転送後に奇数画素データを転送する動作を複数回繰り返すように画像データ転送制御することを特徴とする画像書込装置。
【請求項２】
請求項１に記載の画像書込装置において、前記画像データ転送制御手段が、数回の画像データの転送を、主走査１ライン内の最大制御有効範囲で行うことを特徴とする画像書込装置。
【請求項３】
請求項２に記載の画像書込装置において、前記画像データ転送制御手段は、各点灯間隔が均等になるように転送制御することを特徴とする画像書込装置。
【請求項４】
請求項１乃至請求項３の何れか一項に記載の画像書込装置において、前記画像データ転送制御手段は、前記主走査１ライン周期内における第１の偶数画素データと第２の偶数画素データの点灯時間、また、前記主走査１ライン周期内における第１の奇数画素データと第２の奇数画素データの点灯時間を比率制御することを特徴とする画像書込装置。
【請求項５】
請求項４に記載の画像書込装置において、前記点灯時間の比率は、前記主走査１ライン周期内における第１の偶数画素データと第２の偶数画素データの点灯時間と前記主走査１ライン周期内における第１の奇数画素データと第２の奇数画素データの点灯時間とは同比率とし、前記主走査１ライン周期内における第１の偶数画素データの点灯時間＞前記主走査１ライン周期内における第２の偶数画素データの点灯時間、前記主走査１ライン周期内における第１の奇数画素データの点灯時間＜前記主走査１ライン周期内における第２の奇数画索データの点灯時間、の関係となるように制御することを特徴とすることを特徴とする画像書込装置。
【請求項６】
２値の画像データに応じて発光制御される複数個の発光素子が一方向に列設された複数の発光素子アレイと、当該発光素子アレイの発光を感光体に結像させる結像部を備えた発光素子アレイユニットと、画像データを前記発光素子アレイユニットに転送する画像データ転送制御手段とを有し、前記複数の発光素子アレイが、前記感光体の軸線方向を主走査方向とした場合、副走査方向に所定量ずれると共に主走査方向で所定量重なるように千鳥状に配列され、前記画像データ転送制御手段が、１ライン分の画像データを前記発光素子アレイ毎に分割し、その分割された画像データを各発光素子アレイに転送して、当該発光素子アレイの各発光素子を主走査方向に駆動させて画像データの書き込みを行う画像書込装置であって、
前記画像データ転送制御手段が、主走査１ライン間に１ライン分の画像データを前記各発光素子アレイに転送するにあたり、第１の出力モードの場合、偶数画素データを転送後に奇数画素データを転送する動作を複数回繰り返すように画像データ転送制御し、第２の出力モードの場合、偶数画素データを転送後に奇数画素データを転送する動作を１回行うように画像データ転送制御することを特徴とする画像書込装置。
【請求項７】
請求項６に記載の画像書込装置において、前記画像データ転送制御手段は、第１の出力モードの場合、前記主走査１ライン周期内における第１の偶数画素データと第２の偶数画素データの点灯時間、また、前記主走査１ライン周期内における第１の奇数画素データと第２の奇数画素データの点灯時間を比率制御することを特徴とする画像書込装置。
【発明の詳細な説明】
【技術分野】
【０００１】
本発明は、ＬＥＤアレイ等の発光素子アレイを用いた光書込み装置及びこの光書込み装置を備える画像書込装置に関し、特に、斜め線の線画を忠実に印字できると共に、より一層の印字画像の縦横比改善を達成することができる画像書込装置に関するものである。
【背景技術】
【０００２】
一般に、感光体に光を照射して潜像を書き込む画像書込装置には、レーザー光によるＬＤ走査方式等が採用されており、このＬＤ走査方式には、ＬＥＤ発光素子をアレイ状にした発光素子アレイ方式がある。
この発光素子アレイ方式では、２値の画像を画像形成装置より出力すると、プロセス条件により、１ドットの印字が横太りの楕円系に印字される。これが、１ドットの格子画像（５ｍｍ間隔の画像）だとより鮮明に現れてきて、縦線が横線よりも太く印字されて縦横比が問題となっていた。
この間題を解決するために、ＬＥＤのバランス補正データを利用して制御する方式がある。すなわち、ＬＥＤ毎の階調データと、複数のＬＥＤからなるブロックの単位で出力バラツキを補正するデータと、ブロックの平均値に対する出力バラツキに対する出力バラツキを補正するデータとを加算し、加算したデータによりＬＥＤのバラツキを抑えるようにしている。しかしながら、この方式は、多値データに対する方式であり、２値での方式としては、２値の画像のデータとＬＥＤ個々の補正データを加算させ階調を忠実に再現する制御方式があるが、ドットの印字パワー（印字駆動電流制御）を調整しているので、線画の向上にはなるが、縦横線幅の改善には効果がなかった。また、ＬＥＤ発光素子アレイによっては、補正データと印字画像データを加算する方式を採用していないものもあった。
そこで、従来のＬＥＤ発光素子アレイでは、点灯回数を数回行って制御しているが、画像データを偶数画素データ転送後、奇数画素データ転送を行う発光素子アレイユニットにおいて一度の画像転送で各２回ずつの点灯としている。
なお、先行技術としては、特許文献１としてシフトレジスタ１２にばらつき補正後の階調印画データを記憶させ、シフトレジスタ２２とアンドゲートＡ１〜Ａ５を用いて、ビットスライスしたデータを取り出す。これと同期してシフトレジスタ２４とスイッチＳ１〜Ｓ５で基準抵抗Ｒ１〜Ｒ５を切り替えて基準電流を変化させ、各発光体２への発光電流を変化させる等が挙げられる。
【特許文献１】特開平９−１１５４０号公報
【発明の開示】
【発明が解決しようとする課題】
【０００３】
しかしながら、上記従来方式では、横線幅を太らせることは可能となり縦横比の向上はできるが、１ラインの中での偶数画素と奇数画素の段差があるため、斜め線の線画がぎざぎざになる問題があった。
本発明は、上記従来の問題点を解決するためになされたもので、その目的は、斜め線の線画を忠実に印字できると共に、より一層の印字画像の縦横比改善を達成することができる画像形成装置を提供することである。
【課題を解決するための手段】
【０００４】
上述の目的を達成するために、請求項１記載の発明は、２値の画像データに応じて発光制御される複数個の発光素子が一方向に列設された複数の発光素子アレイと、当該発光素子アレイの発光を感光体に結像させる結像部とからなる発光素子アレイユニットと、画像データを前記発光素子アレイユニットに転送する画像データ転送制御手段とを有し、前記複数の発光素子アレイが、前記感光体の軸線方向を主走査方向とした場合、副走査方向に所定量ずれると共に主走査方向で所定量重なるように千鳥状に配列され、前記画像データ転送制御手段が、１ライン分の画像データを前記発光素子アレイ毎に分割し、その分割された画像データを各発光素子アレイに転送して、当該発光素子アレイの各発光素子を主走査方向に駆動させて画像データの書き込みを行う画像書込装置であって、前記画像データ転送制御手段が、主走査１ライン間に１ライン分の画像データを前記各発光素子アレイに転送するに際に、偶数画素データを転送後に奇数画素データを転送する動作を複数回繰り返すように画像データ転送制御することを特徴とする。
また、請求項２記載の発明は、請求項１に記載の画像書込装置において、前記画像データ転送制御手段が、数回の画像データの転送を、主走査１ライン内の最大制御有効範囲で行うことを特徴とする。
また、請求項３記載の発明は、請求項２に記載の画像書込装置において、前記画像データ転送制御手段は、各点灯間隔が均等になるように転送制御することを特徴とする。
また、請求項４記載の発明は、請求項１、２、３の内の１つに記載の画像書込装置において、前記画像データ転送制御手段は、前記主走査１ライン周期内における第１の偶数画素データと第２の偶数画素データの点灯時間、また、前記主走査１ライン周期内における第１の奇数画素データと第２の奇数画素データの点灯時間を比率制御することを特徴とする。
【０００５】
また、請求項５記載の発明は、請求項４に記載の画像書込装置において、前記点灯時間の比率は、前記主走査１ライン周期内における第１の偶数画素データと第２の偶数画素データの点灯時間と前記主走査１ライン周期内における第１の奇数画素データと第２の奇数画素データの点灯時間とは同比率とし、前記主走査１ライン周期内における第１の偶数画素データの点灯時間＞前記主走査１ライン周期内における第２の偶数画素データの点灯時間、前記主走査１ライン周期内における第１の奇数画素データの点灯時間＜前記主走査１ライン周期内における第２の奇数画素データの点灯時間、の関係となるように制御することを特徴とする。
また、請求項６記載の発明は、２値の画像データに応じて発光制御される複数個の発光素子が一方向に列設された複数の発光素子アレイと、当該発光素子アレイの発光を感光体に結像させる結像部を備えた発光素子アレイユニットと、画像データを前記発光素子アレイユニットに転送する画像データ転送制御手段とを有し、前記複数の発光素子アレイが、前記感光体の軸線方向を主走査方向とした場合、副走査方向に所定量ずれると共に主走査方向で所定量重なるように千鳥状に配列され、前記画像データ転送制御手段が、１ライン分の画像データを前記発光素子アレイ毎に分割し、その分割された画像データを各発光素子アレイに転送して、当該発光素子アレイの各発光素子を主走査方向に駆動させて画像データの書き込みを行う画像書込装置において、前記画像データ転送制御手段が、主走査１ライン間に１ライン分の画像データを前記各発光素子アレイに転送するにあたり、第１の出力モードの場合、偶数画素データを転送後に奇数画素データを転送する動作を複数回繰り返すように画像データ転送制御し、第２の出力モードの場合、偶数画素データを転送後に奇数画素データを転送する動作を１回行うように画像データ転送制御することを特徴とする。
また、請求項７記載の発明は、請求項６に記載の画像書込装置において、前記画像データ転送制御手段は、第１の出力モードの場合、前記主走査１ライン周期内における第１の偶数画素データと第２の偶数画素データの点灯時間、また、前記主走査１ライン周期内における第１の奇数画素データと第２の奇数画素データの点灯時間を比率制御することを特徴とする。
【発明の効果】
【０００６】
本発明によれば、画像データ転送制御手投が、主走査１ライン間に１ライン分の画像データを前記各発光素子アレイユニットに偶数画素データを転送後に奇数画素データを転送する動作を複数回（本実施では、２回）繰り返し、点灯回数もデータ転送回数分（本実施では４回となる）となるように画素データを転送制御して、前記発光素子アレイを駆動させているので、１ライン間幅に対し印字密度が増すことで横線を太らせることができ１ドットの縦・横の比率を改善することができる。
また、本発明によれば、数回の画像データの転送を、主走査１ライン内の最大制御有効範囲で転送し、点灯回数も主走査１ライン周期分、最大に点灯制御することにより、複数回の点灯間隔が広がり、横線を太らせることができ１ドットの縦・横の比率を改善することができる。
また、本発明によれば、各点灯間隔を均等に制御することにより、ドット径を変形することなく、かつ偶数画素と奇数画素の投差を狭くすることで忠実に線画を再現することができる。
また、本発明によれば、前記主走査１ライン周期内における第１の偶数画素データと第２の偶数画素データの点灯時間、また、前記主走査１ライン周期内における第１の奇数画素データと第２の奇数画素データの点灯時間を比率制御することにより、通常コピー時（点灯は偶数発光素子１回、奇数発光素子１回）の画像濃度と同じにし、かつ１ライン内でのエッジ濃度をあげることでより横線を太らせることができ、１ドットの縦・横の比率を改善することができる。
【０００７】
また、本発明によれば、前記点灯時間の比率は、前記主走査１ライン周期内における第１の偶数画素データと第２の偶数画素データの点灯時間と前記主走査１ライン周期内における第１の奇数画素データと第２の奇数画素データの点灯時間とは同比率とし、前記主走査１ライン周期内における第１の偶数画素データの点灯時間＞前記主走査１ライン周期内における第２の偶数画素データの点灯時間、前記主走査１ライン周期内における第１の奇数画素データの点灯時間＜前記主走査１ライン周期内における第２の奇数画素データの点灯時間、の関係となるように制御することにより、通常コピー時（点灯は偶数発光素子１回、奇数発光素子１回）の画像濃度と同じにし、かつ１ライン内でのエッジ濃度をあげることでより横線を太らせることができ、１ドットの縦・横の比率を改善することができる。
また、本発明によれば、前記画像データ転送制御手段が、主走査１ライン間に１ライン分の画像データを前記各発光素子アレイに転送するにあたり、第１の出力モードの場合、偶数画素データを転送後に奇数画素データを転送する動作を複数回繰り返すように画像データ転送制御し、第２の出力モードの場合、偶数画素データを転送後に奇数画素データを転送する動作を１回行うように画像データ転送制御することにより、線画を忠実に出力することができる。
また、本発明によれば、前記画像データ転送制御手段は、第１の出力モードの場合、前記主走査１ライン周期内における第１の偶数画素データと第２の偶数画素データの点灯時間、また、前記主走査１ライン周期内における第１の奇数画素データと第２の奇数画素データの点灯時間を比率制御することにより、濃度ムラを抑制することができる。
【発明を実施するための最良の形態】
【０００８】
以下に添付の図を参照してこの発明の実施形態を詳細に説明する。
図１は、本発明による原稿搬送型デジタル複写機の一実施形態の概略ブロック構成図であり、図２は、図１に示した原稿搬送型デジタル複写機の内部構成を示す側面図である。
まず、図１に示すように、このデジタル複写機（画像書込装置）は、原稿を読み取る読取手段としての原稿読取部１００、読み取られた原稿情報を記憶する記憶手段としての画像情報記憶部３００、記憶された情報を転写紙に複写するための書込部５００、また一連のプロセスを実行制御するシステム制御装置３０２、このシステム制御装置にキー入力を行う操作手投としての操作部４００等で構成されている。
次に、図１及び図２を参照して原稿読取部１００について説明する。
まず、オペレータが原稿を挿入口から挿入すると、原稿は、図２に示すローラ１の回転に応じて、密着センサ２と白色ローラ３との間を搬送され、搬送中の原稿には、密着センサ２に取り付いているＬＥＤにより光が照射され、その反射光は密着センサ２に結像され、原稿画像情報が読み取られる。
図１に示す密着センサ２上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力され、シェーディング補正回路１０４により、光量ムラ、コンタクトガラスの汚れ、センサの感度ムラ等による歪みが補正される。この補正されたデジタル画像情報は、画像処理回路１０５で画像処理されてデジタル記録画像情報に変換された後、画像メモリ部３０１に書き込まれ、書き込み処理が行なわれる。
【０００９】
次に、画像メモリ部３０１に書き込まれた画像信号により画像を転写紙に形成するための一連のプロセスを制御しているシステム制御装置３０２と書込部５００の構成について説明する。
システム制御装置３０２は、全体制御を行う機能があり、読取制御回路１０７、同期制御回路１０６、画像メモリ部３０１、ＬＥＤ書込制御回路５０２、駆動制御回路５０４を介してスキャナ駆動装置１０８およびプリンタ駆動装置５０５を制御し、原稿の読み取り、読み取った原稿データの記憶、記憶された原稿の転写紙への書き込みを制御している。
書込部５００では、画像メモリ部３０１より同期信号クロックにより転送された画像信号をＬＥＤ書込制御回路５０２で１画素単位ビット変換し、ＬＰＨ５０３で赤外光に変換出力される。
次に、図２を参照して原稿データの書き込み動作について説明する。
帯電装置４は、感光体ドラム５を−１２００Ｖに一様に帯電させるグリッド付きのスコロトロンチャージャと呼ばれるものであり、発光素子アレイユニット６は、ＬＥＤをアレイ状に並べたもので、ＳＬＡ（セルフォックレンズアレー）を介して感光体ドラム５にＬＥＤ光が照射される。
ここで、図２に示す発光素子アレイユニット６は、２値の画像データに応じて発光制御される複数個の発光素子が一方向に列設された複数の発光素子アレイ（図１および図３におけるＬＥＤヘッド１−３：５０３）と、当該発光素子アレイの発光を感光体に結像させる結像部とを備えており、複数の発光素子アレイ（ＬＥＤヘッド１−３：５０３）が、感光体５の軸線方向を主走査方向とした場合、副走査方向に所定量ずれると共に主走査方向で所定量重なるように千鳥状に配列されている。
感光体ドラム５にデジタル画像情報に基づいたＬＥＤ光が照射されると、光導電現象で感光体表面の電荷がドラム５のアースに流れて消滅する。ここで原稿濃度の淡い部分は、ＬＥＤを発光させないようにし、原稿濃度の濃い部分は、ＬＥＤを発光させる。これにより感光体ドラム５のＬＥＤ光非照射部は画像の濃淡に対応した静電潜像が形成される。この静電潜像を現像ユニット７によって現像する。現像ユニット内のトナーは撹拌により負に帯電されておりバイアスは−７００Ｖ印加されているためＬＥＤ光照射部分だけにトナーが付着する。
一方転写紙は、３つの給紙台及び手差しから選択し、レジストローラ８で所定のタイミングで感光体ドラム５の下部を通過し、この時に転写チャージャ９によりトナー像が記録紙上に転写される。記録紙は、次に感光体ドラム５より分離チャージャ１０により分離され、搬送タンク１１により搬送されて定着ユニット１２に送られ、そこでトナーが記録紙に定着される。トナーが定着された記録紙は排紙トレイ１４または１３により機外の前後に送られ排紙される。
【００１０】
次に、画像メモリ部３０１から書き込み部への画像信号の流れを説明する。
画像信号の流れは、画像メモリ部３０１から奇数画素（ＯＤＤ）、偶数画素（ＥＶＥＮ）の２値画像データが同時に転送速度１６ＭＨｚでＬＥＤ書込制御回路５０２に送られてくる。２画素パラレルで送られてきた画像信号は、ＬＥＤ書込制御回路５０２内部で一旦、１ラインに合成された後、３分割され、ＬＥＤヘッド５０３Ａ、５０３Ｂ、５０３Ｃに割り当てられ、４画素同時に転送される。
次に、図３を参照してＬＥＤ書込制御回路５０２内の各ブロックについて説明する。図３は、図２に示すＬＥＤ書込制御回路内のブロック図である。
まず、画像データ入力部について説明すると、２値画像信号、奇数画素（ＯＤＤ）、偶数画素（ＥＶＥＮ）及びタイミング信号は、画像データメモリ部３０１より低電圧作動信号素子であるＬＶＤＳレシーバー５１２を用いてパラレルからシリアルに変換され（ＬＥＤ書込制御回路５０２に１６ＭＨｚで送られてくるため、シリアル信号からパラレル信号に変換）、ＰＫＤＥ、ＰＫＤＯ、ＣＬＫＡ、ＬＳＹＮＣ＿Ｎ、ＬＧＡＴＥ＿Ｎ、ＦＧＡＴＥＩＰＵ＿Ｎとして第１ＩＣ５１０に入力される。タイミング信号のＬＳＹＮＣ＿ＮとＦＧＡＴＥＩＰＵ＿Ｎは、第１ＩＣ５１０の内部クロックと同期させ、画像信号処理時間分遅らせ、ＲＬＳＹＮＣ、ＲＦＧＡＴＥとして第２にＩＣ５１１に入力される。
【００１１】
次に、画像データＲＡＭ部５１４Ａ−１〜５１４Ａ−３、５１４Ｂ−１〜５１４Ｂ−３について説明する。
第１ＩＣ５１０に入力された奇数画素（ＯＤＤ）、偶数画素（ＥＶＥＮ）の画像信号は、４画素単位にし、ＳＲＡＭＤＩ（３．０）としてＳＲＡＭアドレス信号ＡＤＲＡ（１０．０）及びＡＤＲＢ（１０．０）により、Ａ群ＳＲＡＭ３個（５１４Ａ−１〜５１４Ａ−３）、Ｂ群ＳＲＡＭ３個（５１４Ｂ−１〜５１４Ｂ−３）に転送速度８ＭＨｚで格納される。
ＬＥＤヘッド５０３Ａ〜５０３Ｂは、総ｄｏｔ数２３０４０ｄｏｔ（Ａ３幅７６８０ｄｏｔ×３本）で画像信号転送が３分割方式のため、主走査１ライン分の画像信号をＡ群のＳＲＡＭ５１４Ａに、すなわち、ＬＥＤヘッド５０３Ａの画像信号をＳＲＡＭ５１４Ａ−１に、ＬＥＤヘッド５０３Ｂの画像信号をＳＲＡＭ５１４Ａ−２に、ＬＥＤヘッド５０３Ｃの画像信号をＳＲＡＭ５１４Ａ−３に格納する。
８ＭＨｚでＡ群３個のＳＲＡＭ５１４Ａ−１〜５１４Ａ−３に順次格納された画像信号は、８ＭＨｚでＡ群３個のＳＲＡＭ（５１４Ａ−１〜５１４Ａ−３）から同時に読み出され、再び第１ＩＣ５１０へ入力され更に変換される。
ここで、ＳＲＡＭ５１４からの読出しは、主走査１ライン間で２回よみだし、１回目の読出しで、奇数画素画像データのみを取り出し８画素単位に変換し、２回目の読出しで今度は偶数画素画像データを取り出して８画素単位にして、画像遅延メモリ部のフィールドメモリ５１５Ａ〜５１５Ｃに転送速度２ＭＨＺで送られる。
この時、ＬＥＤヘッド５０３Ａの画像データは、そのまま第２ＩＣ５１１へ転送され、ＬＥＤヘッド５０３Ｂの画像データは、フィールドメモリ５１５Ａへ転送され、ＬＥＤヘッド５０３Ｃの画像データは、フィールドメモリ５１５Ｃへ転送される。
１ライン目のＳＲＡＭからの読出し制御を行っている間に、次のラインをＢ群の３個のＳＲＡＭ５１４Ｂ−１〜５１４Ｂ−３に、Ａ群と同様に画像信号を格納する。
このリード、ライト動作をＡ群３個のＳＲＡＭ５１４Ａ−１〜５１４Ａ−３とＢ群３個のＳＲＡＭ５１４Ｂ−１〜５１４Ｂ−３とをトグル動作させることによりライン間の繋ぎを行う。
【００１２】
次に、画像データ遅延部５１５Ａ〜５１５Ｃについて説明する。
（１）ＬＥＤヘッド５０３Ｂの画像信号遅延部５１５Ａ、５１５Ｂについて、ここでは、Ａ３幅ＬＥＤヘッド５１５Ａ〜５１５Ｃの３本を千鳥配置している為、ＬＥＤヘッド５０３Ａを基準とし、ＬＥＤヘッド５０３Ｂはメカレイアウト上、副走査方向に１７．５ｍｍずらして取り付けている。
このため、Ａ群３個のＳＲＡＭ５１４Ａ−１〜５１４Ａ−３、Ｂ群３個のＳＲＡＭ５１４Ｂ−１〜５１４Ｂ−３から出力された画像信号を同時に処理し、ＬＥＤヘッド５０３Ｂへ転送すると、ＬＥＤヘッド５０３Ａに対してＬＥＤヘッド５０３Ｂは、副走査方向に１７．５ｍｍ（１７．５ｍｍ／４２．３ｍ（６００ｄｐｉの１ｄｏｔ）＝４１６ライン）ずれて印字してしまう。
このメカ的なずれを補正するため、８ＭＨｚでＡ群ＳＲＡＭ５１４Ａ−２、Ｂ群ＳＲＡＭ５１４Ｂ−２から出力されたＬＥＤヘッド５０３Ｂの画像信号を８画素単位としてフィールドメモリ５１５Ａに転送ライン順に２ＭＨｚで１８０ライン（固定）書き込む。
次に、書き込まれた順に、２ＭＨｚでフィールドメモリ５１５Ａより画像信号を読み出すと同時に、カスケード接続されたフィールドメモリ５１５Ｂに２３６ライン（可変）書き込む。
【００１３】
次に、書き込まれた順に２ＭＨｚでフィールドメモリ５１５Ｂより画像信号を読み出し、Ｌ２ＤＦＭＯ（７．０）として、第２ＩＣ５１１へ入力する。これにより、ＬＥＤヘッド５０３Ｂの画像信号は、４１６ライン遅延された事になる。遅延させるライン数は、ＬＥＤヘッド５０３Ｂの部品精度、組付のバラツキにより個々に異なるため、１ライン（４２．３μｍ）単位での制御が可能となる。
（２）ＬＥＤヘッド５０３Ｃの画像データ遅延部について、ここでは、Ａ３幅ＬＥＤヘッド５０３Ａ〜５０３Ｃの３本を千鳥配置している為、ＬＥＤヘッド５０３Ａを基準とし、ＬＥＤヘッド５０３Ｃは、メカレイアウト上、副走査方向に０．５ｍｍずらして取り付けている。このため、Ａ群３個のＳＲＡＭ５１４Ａ−１〜５１４Ａ−３、Ｂ群３個のＳＲＡＭ５１４Ｂ−１〜５１４Ｂ−３から出力された画像信号を同時に処理し、ＬＥＤヘッド５０３Ｃへ転送すると、ＬＥＤヘッド５０３Ａに対してＬＥＤヘッド５０３Ｃは、副走査方向に０．５ｍｍ（０．５ｍｍ／４２．３μｍ（６００ｄｐｉに１ｄｏｔ）＝１２ライン）ずれて印字してしまう。
このメカ的なずれを補正するため、８ＭＨｚでＡ群ＳＲＡＭ５１４Ａ−３、Ｂ群ＳＲＡＭ５１４Ｂ−３から出力されたＬＥＤヘッド５０３Ｃの画像信号を８画素単位としてフィールドメモリ５１５Ｃに転送ライン順に２ＭＨｚで１２ライン書き込む。
次に、書き込まれた順に２ＭＨｚでフィールドメモリ５１５Ｃより画像信号を読み出し、Ｌ３ＤＦＭＯ（７．０）として第２ＩＣ５１１へ入力する。これにより、ＬＥＤヘッド５０３Ｃの画像信号は１２ライン遅延された事になる。
遅延させるライン数は、ＬＥＤヘッド５０３Ｃの部品精度、組付のバラツキにより個々に異なるため、ライン（４２．３μｍ）単位での制御が可能となる。
【００１４】
次に、光量補正ＲＡＭ部５１６について説明する。
各ＬＥＤヘッド５０３Ａ〜５０３Ｃには、各ＬＥＤ素子の光量バラツキを補正するためにＬＥＤ素子毎の補正データ及びＬＥＤアレイチップごとの補正データを格納するため、光量補正ＲＯＭが搭載されている。
電源投入時、第２ＩＣ５１１のＣＰＬＤ制御により、まずＬＥＤヘッド５０３Ａの光ｉ補正データを読出し、シリアル／パラレル変換し、８ビット単位の補正データＨＯＳＥＩＤ（７．０）としてアドレスにより光量補正ＳＲＡＭ５１６に格納する。全ての補正データを格納後今度は、光量補正ＳＲＡＭ５１６から読出し、再びＬＥＤヘッド５０３Ａへ転送させる。この動作をＬＥＤヘッド５０３Ｂ、５０３Ｃと順におこなう。
転送した光量補正データは、電源をＯＦＦしない限り、ＬＥＤヘッド５０３Ａ〜５０３Ｃ内部にて補正データが保持される構成となっている。
次に、ダブルコピーＲＡＭ部について説明する。
ここでは、主走査方向最大４２０ｍｍ（Ａ２縦サイズ）までの画像を、最大８４１ｍｍ（ＡＯ縦サイズ）の用紙に同じ画像を並べて２回印字しコピー、プリンタの生産性を２倍する機能を有する。
ダブルコピー時、画像メモリ部３０１からの２値画像信号（Ｅ、Ｏ）は、ＬＳＹＮＣ＿Ｎの１／２以下でＬＥＤ書き込み制御回路５０２に転送されてくる。これを利用して、一つのＬＳＹＮＣ＿Ｎの中で、画像信号のダビング操作を行う構成としている。画像メモリ部３０１から１６ＭＨｚで送られてきた画像信号（Ｅ、Ｏ）は、第１ＩＣ５１０よりＷＤＥ、ＷＤＯとしてダブルコピーＳＲＡＭ５１３にアドレス信号ＷＡＤＲ（１２．０）と共に出力され、ダブルコピーＳＲＡＭ５１３に画像データが格納される。それと同時に、データを４画素単位に変換後、画像データＲＡＭ部のＡ群ＳＲＡＭ３個（５１４Ａ−１〜５１４Ａ−３）に格納する。画像メモリ部３０１からの画像信号格納終了と同時にダブルコピーＳＲＡＭ５１３に格納した画像データを読み出し、第１ＩＣ５１０に取り込み、画像メモリ部３０１から送られてきた画像データと同様に４画素単位に変換し、Ａ群ＳＲＡＭ３個（５１４Ａ−１〜５１４Ａ−３）に追加読み込みさせる。
これによりＡ群ＳＲＡＭ３個（５１４Ａ−１〜５１４Ａ−３）には、ダブルコピー画像主走査１ライン分が格納されたことになる。この動作をＡ群ＳＲＡＭ３個（５１４Ａ−１〜５１４Ａ−３）、Ｂ群ＳＲＡＭ３個（５１４Ｂ−１〜５１４Ｂ−３）をトグルさせることにより、ライン間の繋ぎを行う。
【００１５】
次に、画像データ出力部５１９について説明する。
第２ＩＣ５１１に入力されたＬＥＤヘッド５０３Ａ〜５０３Ｃの８画素単位の画像信号は、第２ＩＣ５１１内部にて４画素単位に変換され、１ライン合成される。そして、その画像信号は、第２ＩＣ５１１からタイミング信号と共に出力され、画像データ出力部（ドライバ）５１９を介し、各ＬＥＤヘッド５０３Ａ〜５０３Ｃに４ＭＨｚのスピードで転送される。ここで、Ｌ１〜Ｌ３ＣＬＫは２ＭＨｚであり立ち上がり、立下りエッジでデータ確定される。
次に、ダウンロード部５１７について説明する。
第１ＩＣ５１０、第２ＩＣ５１１はＳＲＡＭタイプのＣＰＬＤであるため、電源ＯＦＦにより、第１ＩＣ５１０、第２ＩＣ５１１内部の書き込み制御プログラムが全て消去される。そのため電源ＯＮ時、ダウンロード部（ＥＰＲＯＭ）５１７よりプログラムのダウンロード（コンフィギュレーション）が毎回行われる。
まず、電源が投入されると、第１ＩＣ５１０にＥＰＲＯＭ５１７よりＤＯＷＮＬＯＡＤ＿ＣＰＬＤ１としてプログラムをシリアルデータで転送し、ダウンロードを行い、第１ＩＣ５１０にダウンロードが終了すると同時に、第２ＩＣ５１１にＥＰＲＯＭ５１７よりＤＯＷＮＬＯＡＤ＿ＣＰＬＤ２としてプログラムをシリアルデータで転送し、プログラムがダウンロードされる。
次に、リセット回路部５１８について説明する。
電源ＯＮ時及びＬＥＤヘッド制御回路５０２の供給電源の電圧降下により、リセット回路部（リセットＩＣ）５１８よりシステムリセット信号ＲＥＳＥＴ＿ＣＰＬＤ１及びＲＥＳＥＴ＿ＣＰＬＤ２が出力される。システムリセット信号ＲＥＳＥＴ＿ＣＰＬＤ１は、第１ＩＣ５１０に、システムリセット信号ＲＥＳＥＴ＿ＣＰＬＤ２は、第２ＩＣ５１１にそれぞれ入力され、これを基に第１ＩＣ５１０及び第２ＩＣ５１１内部のカウンターのリセットを行いシステムの初期化をする。
【００１６】
次に、システム制御装置３０２について説明する。
ＬＥＤヘッド書込制御回路５０２への書き込み条件設定（ダブルコピーの有無、書き込み用紙サイズｅｔｃ）は、システム制御装置３０２からの制御信号、入力データバスＬＤＡＴＡ（７．０）、アドレスバスＬＡＤＲ（５．０）、ラッチ信号ｖＤＢＣＳ、画像転送信号ＦＧＡＴＥＩＯＢ＿Ｎ、ＳＧＡＴＥ＿Ｎを第１ＩＣ５１０、第２ＩＣ５１１に入力することにより行われる。
次に、ＬＥＤ書込制御回路５０２により構成される本実施例の具体的なＬＥＤヘッドヘの画像データの転送制御と印字ドット径について以下に記載する。
まず、基本的なＬＥＤヘッド５０３ヘの転送方式について説明する。
図４（Ａ）は、通常のＬＥＤヘッドヘのデータ転送と点灯制御についてのタイミング図である。
まず、通常のＬＥＤヘッド５０３ヘのデータ転送と点灯制御について図４（Ａ）を参照して説明する。
図４（Ａ）において、ＲＬＳＹＮＣは、主走査１ライン間隔であり、この間で一連の処理が行われ、クロックの立ち上がり、立下りエッジにより、画像データを転送する。ＤＡＴＡは、４画素単位の画像データであり、転送画像データは、まずＬＥＤヘッド５０３の７６８０画素分の奇数画素データＯＤＤ  ＤＡＴＡを転送する。転送後、ＬＯＡＤ信号によりデータをラッチさせる。次に、偶数画素データＥＶＥＮ  ＤＡＴＡを転送し、再びＬＯＡＤ信号にてラッチさせる。偶数画素データＥＶＥＮ  ＤＡＴＡを転送している間に、点灯イネーブル信号ＯＤＤ＿ＤＲＶをイネーブルにし、点灯信号（ＳＴＲＢ信号）によリ、ラッチされた奇数画素データがＬＥＤ点灯される。なお、ＳＴＲＢ信号がＬＯＷアクティブ間ａ、ＬＥＤは発光される。その後、偶数データもＥＶＥＮ＿ＤＲＶ信号、ＳＴＲＢ信号によりＬＥＤ発光させる。
ＳＴＲＢ信号の制御として、奇数データの点灯をＳＴＲＢ信号のＬＯＷの期間ａでＬＥＤ発光し、偶数データの点灯をＳＴＲＢ信号のＬＯＷの期間ｂでＬＥＤ発光させる。ＳＴＲＢ信号はＬＯＷの期間にＬＥＤ発光しているので、画像濃度を調整できる。ただし、画像濃度はプロセス条件等により規制されていて、機械条件としては、主走査１ライン間隔の１０％前後である。１０％とは、線速と画素密度より、主走査間隔７０５．６μｓｅｃであり、その１０％であると７０．５６μｓｅｃ点灯期間となる。
【００１７】
次に、図４（Ｂ）を参照して、本発明の実施形態におけるＬＥＤヘッドヘのデータ転送と点灯制御について説明する。
図４（Ｂ）は、本発明の実施形態におけるＬＥＤヘッドヘのデータ転送と点灯制御についてのタイミング図である。
図４（Ｂ）において、ＲＬＳＹＮＣは、主走査１ライン間隔であり、この間で一連の処理が行われ、クロックの立ち上がり、立下りエッジにより、画像データを転送する。ＤＡＴＡは、４画素単位の画像データであり、転送画像データは、まずＬＥＤヘッド５０３の７６８０画素分の奇数画素データＯＤＤＤＡＴＡを転送する。転送後、ＬＯＡＤ信号によりデータをラッチさせ、次に、偶数画素データＥＶＥＮ  ＤＡＴＡを転送し、再びＬＯＡＤ信号にてラッチさせる。
この実施形態では、図４（Ｂ）に示すように、主走査１ライン間に１ライン分の画像データを前記各発光素子アレイ（ＬＥＤヘッド５０３）に転送するにあたり、奇数画素データ・偶数画素データの順で２回ずつ交互に転送して、各々の主走査１ライン間に、点灯回数が奇数画素データ・偶数画素データの２回づつの４回となるように制御している。
すなわち、図４（Ｂ）に示すように、ＳＴＲＢ信号のａ、ｂ、ｃ、ｄ区間の内、ａとｃの区間は奇数画素データのＳＴＲＢ信号、ｂとｄの区間は偶数画素データのＳＴＲＢ信号で、感光体の回転とおよそ主走査１ライン分の期間を有効に使用しており、ＬＥＤ点灯時間間隔が長くなっている。
言い換えるならば、主走査１ライン間に１ライン分の画像データを前記各発光素子アレイ（ＬＥＤヘッド５０３）に転送するにあたり、偶数画素データを転送後に奇数画素データを転送する動作を数回（本実施形態では、２回）繰り返すことにより、データ転送回数分（本実施では４回となる）発光素子アレイユニット６が点灯するように制御している。従って、このように前記発光素子アレイを駆動させ印字することにより、１ライン間幅に対し印字密度が増すことで横線を太らせることができ１ドットの縦・横の比率を改善することができる。
また、上記数回の画像データの転送を、主走査１ライン内の最大制御有効範囲で行うように転送制御している。従って、点灯回数も主走査１ライン周期分、最大に点灯制御されることとなる。
すなわち、主走査１ライン周期内で画像データを１偶数画素データ→２奇数画素データ→３偶数画素データ→４奇数画素データと転送して２奇数画素転送時に１偶数画素データを点灯させているため、４奇数素画素データの点灯は、次のラインの１偶数画素データ時となる。よって主走査１ライン周期分最大を使用することになる。
【００１８】
さらに、本実施形態では、各点灯間隔が均等になるように前記画像データの転送制御が行われている。すなわち、ここでは、４回のＳＴＲＢ信号の点灯間隔を均等にし、ドット径のひずみを無くし、奇数画素と偶数画素の段差を狭くしている。
さらに、本実施形態では、主走査１ライン周期内における第１の偶数画素データと第２の偶数画素データの点灯時間、また、主走査１ライン周期内における第１の奇数画素データと第２の奇数画素データの点灯時間を比率制御するようにしている。すなわち、ここでは、例えば、図４（Ａ）に示す偶数データのＳＴＲＢ信号における区間ａの間隔が、主走査１ライン間隔の１０％幅とした場合、図４（Ｂ）に示すＳＴＲＢ信号の区間ａと区間ｃを両者の点灯時間を足して１０％幅にすることで、画像濃度を変えずに１画素の横幅を太らせ、縦横比改善ができる（請求項４）。なお、ＳＴＲＢ信号の区間ｂと、区間ｄも同様である。より詳しく説明すると、図５（Ａ）の印字ドット径の例に示すように、２回点灯を同じＳＴＲＢ信号のｄｕｔｙ間隔であると濃度が濃くなり画像に影響してしまうので上記のように２回の点灯比をあわせることで濃度ムラの発生もなくなる。
【００１９】
図５は、本発明の実施形態における画像データ転送制御による画像効果を示すための印字ドット径の例を示す図である。
また、図４（Ｂ）に示すＳＴＲＢ信号の区間ａと、区間ｃの比率（ＳＴＲＢ信号の区間ｂと区間ｄ）を自動制御できるようにしているが、これは、本使用では、３本のＬＥＤヘッドをチドリ状に取り付いていて、各々のＬＥＤヘッドの点灯ＤＵＴＹが違うので、１本目のＬＥＤヘッドの点灯幅が、１０％で２本目のＬＥＤヘッドの点灯幅９％で３本目が１２％の場合、比率を３：１の設定をすると１本目が、７．５％と２．５％となり、２本目は、６．７５％と２．２５％、３本目は９％と３％となる。これにより各ＬＥＤヘッド間の濃度ムラはなく均一となる。
さらに、本実施形態では、前記点灯時間の比率は、前記主走査１ライン周期内における第１の偶数画素データと第２の偶数画素データの点灯時間と前記主走査１ライン周期内における第１の奇数画素データと第２の奇数画素データの点灯時間とは同比率とし、前記主走査１ライン周期内における第１の偶数画素データの点灯時間＞前記主走査１ライン周期内における第２の偶数画素データの点灯時間、前記主走査１ライン周期内における第１の奇数画素データの点灯時間＜前記主走査１ライン周期内における第２の奇数画素データの点灯時間、の関係となるように制御している。
すなわち、図４（Ｂ）に示すように、例えば１０％ｄｕｔｙの場合、ＬＥＤヘッド１本目での比率３：１でのＳＴＲＢ信号間隔は、奇数データ用ＳＴＲＢ信号の区間ａが７．５％、区間ｃが２、５％、偶数データ用ＳＴＲＢ信号の区間ｂが２．５％、区間ｄが７．５％であり、ＳＴＲＢ信号の区間ａと区間ｄの点灯時間を長くすることで、エッジ部を強調でき、より１ライン内で太くできる。
【００２０】
図５（Ｂ）の印字ドット径の例に示すように、ＳＴＲＢ信号の点灯は、画像データ転送が、１回目：奇数画素データ→１回目：偶数画素データ→２回目：奇数画素データ→２回目：偶数画素データであるので奇数、偶数交互点灯でかつ１回目奇数画素データの印字時間を長く、２回目の奇数画素データの印字間隔を短くし、偶数画素データにおいては２回目の偶数画素データに印字時間を長くとることで濃度が濃くなることはなく、ドットのエッジ効果があり、更に交互点灯なので奇数、偶数画素間の段差を緩和させることができる。
さらに、本実施形態では、主走査１ライン間に１ライン分の画像データを前記各発光素子アレイに転送するにあたり、第１の出力モードの場合、偶数画素データを転送後に奇数画素データを転送する動作を複数回繰り返すように画像データ転送制御し、第２の出力モードの場合、偶数画素データを転送後に奇数画素データを転送する動作を１回行うように画像データ転送制御するようにしている。すなわち、コピアモードとプリンタモードとの出力モードに従って、出力モードがコピアモード（第２の出力モード）の場合、図４（Ａ）に示すように主走査１ライン間に１ライン分の画像データを前記各発光素子アレイ（ＬＥＤヘッド５０３）に転送するにあたり、奇数画素データ・偶数画素データの順で１回転送して、各々の主走査１ライン間に、点灯回数が奇数画素データ・偶数画素データの２回となるように制御し、出力モードがプリンタモード（第１の出力モード）の場合、図４（Ｂ）に示すように、主走査１ライン間に１ライン分の画像データを前記各発光素子アレイ（ＬＥＤヘッド５０３）に転送するにあたり、奇数画素データ・偶数画素データの順で２回ずつ交互に転送して、各々の主走査１ライン間に、点灯回数が奇数画素データ・偶数画素データの２回づつの４回となるように制御している。
さらに、本実施形態では、前記画像データ転送制御手段は、第１の出力モードの場合、前記主走査１ライン周期内における第１の偶数画素データと第２の偶数画素データの点灯時間、また、前記主走査１ライン周期内における第１の奇数画素データと第２の奇数画素データの点灯時間を比率制御するようにしている（請求項７）。すなわち、コピアモードの点灯時間（Ｄｕｔｙ比）をプリンタモードではそのＤｕｔｙ比から比率計算した値を分割するようにしている。
【００２１】
図６は、本発明の実施形態における画像データ転送制御による画像効果を示すための説明図である。
なお、ここでは、ＬＥＤヘッド５０３は、１本あたり７６８０画素とし、１画素目を奇数画素として説明している。
このように、以前は、図６（Ａ）に示すように奇数・偶数１回の画素データ転送で各々一回点灯すると縦線ｅより横線ｆが細くなっていたが、奇数・偶数１回の画素データを転送して各々２回連続で点灯した場合は、前より横線ｆの太り効果はある。そして、さらに、奇数画素データと偶数画素データを分割して転送するようにすれば、図６（Ｂ）に示すように、横線ｇを太らせることができ、画素間の段差も緩和させることができる。
【図面の簡単な説明】
【００２２】
【図１】本発明による原稿搬送型デジタル複写機の一実施形態の概略ブロック構成図。
【図２】図１に示した原稿搬送型デジタル複写機の内部構成を示す側面図。
【図３】図２に示すＬＥＤ書込制御回路内のブロック図。
【図４】本発明の実施形態におけるＬＥＤヘッドヘのデータ転送と点灯制御についてのタイミング図。
【図５】本発明の実施形態における画像データ転送制御による画像効果を示すための印字ドット径の例を示す図。
【図６】本発明の実施形態における画像データ転送制御による画像効果を示すための説明図。
【符号の説明】
【００２３】
１  ローラ、２  密着センサ、３  白色ローラ、４  帯電装置、５  感光体ドラム、６  発光素子アレイユニット、７  現像ユニット、８  レジストローラ、９  転写チャージャ、１０  分離チャージャ、１１  搬送タンク、１２  定着ユニット、１４、１３  排紙トレイ、１００  原稿読取部、１０２  画像増幅回路、１０３  変換回路、１０４  シェーディング補正回路、１０５  画像処理回路、１０６  同期制御回路、１０７  読取制御回路、１０８  スキャナ駆動装置、３００  画像情報記憶部、３０１  画像データメモリ部、３０２  システム制御装置、４００  操作部、５００  書込部、５０２  制御回路、５０２  ＬＥＤ書込制御回路、５０３  ＬＥＤヘッド、５０４  駆動制御回路、５０５  プリンタ駆動装置、５１１  ＩＣ、５１２  ＬＶＤＳレシーバー、５１４  ＳＲＡＭ、５１５Ａ〜５１５Ｃ  フィールドメモリ、５１６  ＳＲＡＭ、５１７  ダウンロード部、５１７  ＥＰＲＯＭ、５１８  リセット回路部、５１９  画像データ出力部
【図１】
2006062105.tif 000003
【図２】
2006062105.tif 000004
【図３】
2006062105.tif 000005
【図４】
2006062105.tif 000006
【図５】
2006062105.tif 000007
【図６】
2006062105.tif 000008